(57)【特許請求の範囲】
【請求項１】
利用者が所持し、無線通信機能を有する携帯端末装置が改札エリアに進入した際、前記携帯端末装置にあらかじめ記憶された前記利用者の顔画像を無線通信により取得する第１の手段と、
前記改札エリアの画像を撮像する第２の手段と、
前記第２の手段により撮像された画像により、前記改札エリアにあらかじめ設定された利用者入出場の意思確認用の境界ラインを越えてきた利用者の顔画像を取得する第３の手段と、
前記第１の手段により取得された顔画像が前記第３の手段により取得された顔画像と一致するか否かを判定する第４の手段と、
前記第４の手段により両顔画像が一致すると判定された場合、前記第２の手段により撮像された前記画像に基づいて前記利用者が前記境界ラインを入場側あるいは出場側のいずれの方向へ移動したかを判定する第５の手段と、
前記第５の手段により前記利用者が前記境界ラインを入場側へ移動したと判定された場合、前記利用者に対する入場処理を行なう第６の手段と、
前記第５の手段により前記利用者が前記境界ラインを出場側へ移動したと判定された場合、前記利用者に対する出場処理を行なう第７の手段と、
を具備する改札システム。
【請求項２】
前記第４の手段により両顔画像が不一致と判定された場合、前記利用者は不正利用者の可能性があるとして係員に報知する第８の手段をさらに具備する請求項１記載の改札システム。
【請求項３】
利用者が所持し、無線通信機能を有する携帯端末装置と、前記携帯端末装置と無線通信を行なうことにより改札処理を行なう自動改札装置とから構成される改札システムであって、
前記携帯端末装置は、
あらかじめ少なくとも前記利用者の顔画像および乗車券情報を記憶する記憶手段と、
前記自動改札装置の改札エリアに進入した際、前記記憶手段に記憶された顔画像および乗車券情報を無線通信により前記自動改札装置へ送信する送信手段とを具備し、
前記自動改札装置は、
前記改札エリアの画像を撮像する撮像手段と、
前記撮像手段により撮像された画像により、前記改札エリアにあらかじめ設定された利用者入出場の意思確認用の境界ラインを越えてきた利用者の顔画像を取得する取得手段と、
前記携帯端末装置から送信された顔画像および乗車券情報を受信し、前記受信した顔画像と前記取得手段により取得された顔画像とが一致するか否かを判定する第１の判定手段と、
前記第１の判定手段により両顔画像が一致すると判定された場合、前記撮像手段により撮像された前記画像に基づいて前記利用者が前記境界ラインを入場側あるいは出場側のいずれの方向へ移動したかを判定する第２の判定手段と、
前記第２の判定手段により利用者が前記境界ラインを入場側へ移動したと判定された場合、前記受信した乗車券情報に基づき前記利用者に対する入場処理を行なう入場処理手段と、
前記第２の判定手段により利用者が前記境界ラインを出場側へ移動したと判定された場合、前記受信した乗車券情報に基づき前記利用者に対する出場処理を行なう出場処理手段とを具備する改札システム。
【請求項４】
前記自動改札装置は、
前記第１の判定手段により両顔画像が不一致と判定された場合、前記利用者は不正利用者の可能性があるとして係員に報知する報知手段をさらに具備する請求項３記載の改札システム。
【請求項５】
請求項３記載の改札システムに使用される自動改札装置であって、
前記携帯端末装置から送信された顔画像および乗車券情報を無線通信により受信する受信手段と、
前記改札エリアの画像を撮像する撮像手段と、
前記撮像手段により撮像された画像により、前記改札エリアにあらかじめ設定された利用者入出場の意思確認用の境界ラインを越えてきた利用者の顔画像を取得する取得手段と、
前記受信手段により受信された顔画像と前記取得手段により取得された顔画像とが一致するか否かを判定する第１の判定手段と、
前記第１の判定手段により両顔画像が一致すると判定された場合、前記撮像手段により撮像された前記画像に基づいて前記利用者が前記境界ラインを入場側あるいは出場側のいずれの方向へ移動したかを判定する第２の判定手段と、
前記第２の判定手段により前記利用者が境界ラインを入場側へ移動したと判定された場合、前記受信手段により受信された乗車券情報に基づき前記利用者に対する入場処理を行なう入場処理手段と、
前記第２の判定手段により前記利用者が境界ラインを出場側へ移動したと判定された場合、前記受信手段により受信された乗車券情報に基づき前記利用者に対する出場処理を行なう出場処理手段と、
を具備する自動改札装置。
【請求項６】
請求項３記載の改札システムに使用される携帯端末装置であって、
前記自動改札装置と無線通信を行なう無線通信手段と、
あらかじめ少なくとも前記利用者の顔画像および乗車券情報を記憶する記憶手段と、
前記自動改札装置の前記改札エリアに進入した際、前記記憶手段に記憶された顔画像および乗車券情報を前記無線通信手段により前記自動改札装置へ送信する送信手段と、
を具備する携帯端末装置。
【発明の詳細な説明】
【技術分野】
【０００１】
本発明の実施形態は、改札システムおよびこの改札システムに用いられる自動改札装置および携帯端末装置に関する。
【背景技術】
【０００２】
最近、たとえば、鉄道機関や空港機関において、利用者が所持する非接触型ＩＣカードや非接触型ＩＣカード機能を内蔵した携帯可能電話機を自動改札装置の読取部に翳すことで改札処理を行なう改札システムが開発され、実際に稼動している。
【０００３】
しかしながら、従来の改札システムは、磁気式の乗車券を投入したり、ＩＣカードや携帯可能電話機を自動改札装置の読取部に翳すという利用者の手操作を必要としている。
【０００４】
また、ＩＣカードや携帯可能電話機を所持していない不正な利用者が通過できないようにするために、自動改札装置ごとに開閉ドアを設けているが、利用者にとっては狭い通路となり、非常に不便でもある。
【０００５】
さらに、使用されているＩＣカードや携帯可能電話機は、日本国内以外では普及しておらず、たとえば、海外からの旅行客は旅行のためだけにＩＣカードや携帯可能電話機の購入を行なう必要があるという問題がある。
【先行技術文献】
【特許文献】
【０００６】
【特許文献１】特開２０１０−９７２７２号公報
【発明の概要】
【発明が解決しようとする課題】
【０００７】
本発明が解決しようとする課題は、利用者が手を使うことなく手ぶらで自動改札装置を利用でき、利便性が著しく向上する改札システム、自動改札装置および携帯端末装置を提供することである。
【課題を解決するための手段】
【０００８】
実施形態に係る改札システムは、利用者固有の識別情報と当該利用者の顔画像とを対応させて記憶している記憶手段と、利用者が所持し、無線通信機能を有する携帯端末装置が改札エリアに進入した際、当該携帯端末装置にあらかじめ記憶された当該利用者固有の識別情報を無線通信により取得する第１の手段と、前記改札エリア付近の画像を撮像する第２の手段と、この第２の手段により撮像された画像により、前記改札エリアにあらかじめ設定された利用者入出場の意思確認用の境界ラインを越えてきた利用者の顔画像を取得する第３の手段と、前記第１の手段により取得された識別情報と対応する識別情報を持つ顔画像を前記記憶手段から取得する第４の手段と、前記第３の手段により取得された顔画像が前記第４の手段により取得された顔画像と一致するか否かを判定する第５の手段と、この第５の手段により両顔画像が一致すると判定された場合、当該利用者は前記境界ラインを入場側あるいは出場側のいずれの方向へ移動したかを判定する第６の手段と、この第６の手段により利用者が境界ラインを入場側へ移動したと判定された場合、当該利用者に対する入場処理を行なう第７の手段と、前記第６の手段により利用者が境界ラインを出場側へ移動したと判定された場合、当該利用者に対する出場処理を行なう第８の手段とを具備している。
【図面の簡単な説明】
【０００９】
【図１】実施形態に係る改札システムの構成を概略的に示す模式図。
【図２】実施形態に係る携帯端末装置の構成を概略的に示すブロック図。
【図３】実施形態に係る自動券売機の構成を概略的に示すブロック図。
【図４】実施形態に係る自動改札装置の構成を概略的に示すブロック図。
【図５】第１の実施形態に係る事前に行なう利用者登録について説明するフローチャート。
【図６】第１の実施形態に係るＳＦカードの残額チャージおよび定期区間購入について説明するフローチャート。
【図７】第１の実施形態に係る入出場処理について説明するフローチャート。
【図８】第１の実施形態に係る不正利用者検出処理について説明するフローチャート。
【図９】第１の実施形態に係る顔認識不能時の自己申告処理について説明するフローチャート。
【図１０】第２の実施形態に係る事前に行なう利用者登録について説明するフローチャート。
【図１１】第２の実施形態に係るＳＦカードの残額チャージおよび定期区間購入について説明するフローチャート。
【図１２】第２の実施形態に係る入出場処理について説明するフローチャート。
【図１３】第２の実施形態に係る顔認識不能時の自己申告処理について説明するフローチャート。
【発明を実施するための形態】
【００１０】
以下、実施形態に係る改札システムについて図面を参照して説明する。  
なお、以下の説明では、鉄道機関において改札処理を行なう改札システムに適用した場合について説明するが、これに限定されるものではなく、たとえば、空港の搭乗ゲートや到着ゲート等において改札処理を行なう改札システムにも同様に適用可能である。
【００１１】
図１は、本実施形態に係る改札システムの構成を概略的に示すものである。この改札システムは、たとえば、鉄道機関において利用者が所持する携帯端末装置を用いて改札処理を行なうもので、利用者Ｍが所持し、携帯電話機能および中距離無線通信機能（たとえば、無線ＬＡＮ通信機能）を有する携帯端末装置（たとえば、スマートフォン、携帯電話機等）１１、中距離無線通信機能（たとえば、無線ＬＡＮ通信機能）を有し、利用者が乗車券（たとえば、入場券、無線式ＩＣカードからなる定期券、普通乗車券、料金券、特急券、無線式ＩＣカードからなるＳＦカード等）を購入したり、購入した定期券の情報あるいは購入したＳＦカードの情報を携帯端末装置１１に対しダウンロードしたり、携帯端末装置１１に対しＳＦカード情報内の金額をチャージしたりする自動券売機１２、中距離無線通信機能（たとえば、無線ＬＡＮ通信機能）を有し、携帯端末装置１１と中距離無線通信を行なうことにより改札処理を行なう自動改札装置１３、および、乗車券の販売管理（乗車券のオンライン販売や予約販売、自動改札装置への乗車券情報の配信処理等）や各種情報処理等を行なうホスト装置（センタサーバ）１４から構成されている。
【００１２】
携帯端末装置１１は、無線による公衆回線１０を介してホスト装置１３と通信を行なうことにより、本改札システムを利用するためのアプリケーション（以降、これを改札アプリケーションと称す）などをダウンロードしたり、乗車券の予約購入が可能となっている。
【００１３】
自動券売機１２は、通信回線１５を介してホスト装置１４と通信を行なうことにより、販売した乗車券の乗車券情報をホスト装置１４へ送信したり、携帯端末装置１１との間で中距離無線通信による通信を行なうことにより、販売した乗車券の乗車券情報（定期券情報やＳＦカード情報等）を携帯端末装置１１へ送信したりする。
【００１４】
自動改札装置１３は、携帯端末装置１１との間で中距離無線通信による通信を行なったり、通信回線１６を介してホスト装置１４と通信を行なったりすることにより、入場可否の判定を行なったり、出場可否の判定を行なったりする。  
自動改札装置１３は、改札エリア付近の画像を撮像する撮像手段としてのカメラ１７、中距離無線通信用のアンテナ部１８、および、各種処理を行なう制御部１９を有して構成されていて、これらは以下のように配置されている。
【００１５】
すなわち、鉄道機関における駅の改札口において、壁５１，５２間に所定の広さの改札エリア５３が形成されていて、この改札エリア５３には、利用者入出場の意思確認用の境界ラインとして構内外境界ライン５４が設けられているものとする。ここに、構内外境界ライン５４の内側（図面に対し上側）は駅構内とし、構内外境界ライン５４の外側（図面に対し下側）は駅構外とする。  
なお、構内外境界ライン５４は、たとえば、床面に目視可能な色の塗料などで表示されているものとする。
【００１６】
カメラ１７は、改札エリア５３を通行する利用者の少なくとも顔を含む改札エリア５３付近の画像を撮像するように、たとえば、改札エリア５３の天井や壁面などに設置されている。  
アンテナ部１８は、たとえば、構内外境界ライン５４上の天井あるいは壁面などに設置されていて、改札エリア５３内の構内外境界ライン５４全体をカバーする所定範囲（例えば、半径１０ｍ前後）を中距離無線通信エリア５５としている。  
制御部１９は、改札エリア５３の近傍に設置されていて、カメラ１７およびアンテナ部１８にそれぞれ接続されている。
【００１７】
ホスト装置１４は、携帯端末装置１１との間で公衆回線を介して通信を行なうことにより、乗車券のオンライン販売や予約販売をしたり、通信回線１６を介して自動改札装置１３（制御部１９）と通信を行なうことにより改札処理を行なったり、自動券売機１２から受取った乗車券情報や予約販売した乗車券の乗車券情報を自動改札装置１３へ送信したりする。
【００１８】
ホスト装置１４は、メモリ（データベース）１４ａ，１４ｂを備えている。メモリ１４ａは、現在中距離無線通信に参加している利用者ＭのＩＤ番号（利用者固有の識別情報）が格納される。メモリ１４ｂは、登録された全ての利用者の利用者情報（全駅共通）が保持（登録）されている。この登録利用者情報としては、たとえば、  
・ＩＤ番号  
・住所、氏名、電話番号等  
・顔認識用データ  
・乗車券情報（定期券情報（定期区間）、ＳＦカード情報（残額等）、入出場状態等）
・クレジットカード番号（クレジット決済利用時）  
などが考えられる。
【００１９】
図２は、携帯端末装置１１の構成を概略的に示すものである。この携帯端末装置１１は、たとえば、スマートフォンと称される多機能携帯電話機で、カメラ２０、操作部２１、表示部２２、送話部２３、受話部２４、送受信用のアンテナ部２５、中距離無線通信用の通信部２６、携帯電話通信用の通信部２７、各種情報を記憶するメモリ２８、これら全体の制御を司る主制御部２９、および、各部に動作電圧を供給する電池電源部３０により構成されている。
【００２０】
操作部２１は、携帯電話機として用いる際の種々の設定を行なったり、電話番号の入力を行なったり、携帯端末装置として用いる場合の各種設定を行なったり、モード設定の変更を指示したりするものである。表示部２２は、種々の操作案内などを表示する。
【００２１】
送話部２３は、マイク等により構成され、携帯電話機として用いる際に利用者により発せられた言葉を音声データに変換して出力する。  
受話部２４は、スピーカ等により構成され、他の機器から供給された受信した音声データを再生してスピーカから出力する。
【００２２】
中距離無線通信用の通信部２６は、アンテナ部２５に接続されていて、本改札システムを利用する際、自動券売機１２や自動改札装置１３との間で中距離無線通信（無線ＬＡＮ通信）を行なう。  
携帯電話通信用の通信部２７は、アンテナ部２５に接続されていて、携帯電話機として利用する際、公衆回線１０を介してホスト装置１４と通信を行なう。
【００２３】
なお、通信部２６，２７は、携帯電話機として用いられる際と、本改札システムを利用する際とは、メモリ２８に格納されている別々のアプリケーションにより制御されるようになっている。
【００２４】
メモリ２８は、当該携帯端末装置１１を所持する利用者固有の識別情報（ＩＤ番号）が格納されるユーザＩＤエリア２８ａ、本改札システムを利用するための改札アプリケーション（中距離無線通信機能を実現するための処理プログラム等）が格納される追加プログラムエリア２８ｂ、および、登録された利用者情報が格納される利用者情報エリア２８ｃを有している。
【００２５】
なお、追加プログラムエリア２８ｂに格納される改札アプリケーションは、公衆回線１０を介してホスト装置１４と通信を行なうことによりダウンロードされるようになっている。
【００２６】
図３は、自動券売機１２の構成を概略的に示すものである。この自動券売機１２は、たとえば、乗車券の購入操作を行なったり各種操作案内を表示したりする操作表示部３１、指定された乗車券を発行する券売部３２、ホスト装置１４との間で通信回線１５を介して通信を行なうインタフェイス３３、送受信用のアンテナ部３４、中距離無線通信用の通信部３５、ＩＣカード発行部３６、および、これら全体の制御を司る主制御部３７により構成されている。
【００２７】
通信部３５は、アンテナ部３４に接続されていて、携帯端末装置１１を用いて改札処理を行なう際、携帯端末装置１１との間で中距離無線通信（無線ＬＡＮ通信）を行なう。  
ＩＣカード発行部３６は、指定された無線式ＩＣカードからなる定期券やＳＦカードを発行する。
【００２８】
図４は、自動改札装置１３の制御部１９の構成を概略的に示すものである。この制御部１９は、たとえば、利用者や駅員などに対して各種案内を行なう表示部４１、利用者の通行を制御する開閉動作可能なドア（図示しない）を駆動するドア機構部４２、ホスト装置１４との間で通信回線１６を介して通信を行なうインタフェイス４３、中距離無線通信用の通信部４４、および、これら全体の制御を司る主制御部４５により構成されている。
【００２９】
通信部４４は、前記アンテナ部１８に接続されていて、携帯端末装置１１を用いて改札処理を行なう際、携帯端末装置１１との間で中距離無線通信（無線ＬＡＮ通信）を行なう。主制御部４５には、前記カメラ１７が接続されている。
【００３０】
主制御部４５は、現在中距離無線通信に参加している利用者Ｍの利用者情報が格納（記憶）されるメモリ４５ａを有している。
【００３１】
次に、上記のような構成において本実施形態に係る改札システムの動作について説明する。
【００３２】
利用者Ｍは、本改札システムを利用するに当たり、たとえば、携帯端末装置１１を、公衆回線１０を介してホスト装置１４と接続することにより、本改札システムを利用するための改札アプリケーション（中距離無線通信機能を実現するための処理プログラム、乗車券情報処理プログラム等）をメモリ２８の追加プログラムエリア２８ｂにダウンロードするものとする。
【００３３】
まず、第１の実施形態に係るホスト装置１４に登録された顔画像を持つ場合について説明する。
【００３４】
最初に、事前に行なう利用者登録について図５に示すフローチャートを参照して説明する。
【００３５】
利用者Ｍは、所持する携帯端末装置１１を操作することにより、改札アプリケーションを起動し、メニューにて利用者登録を選択し起動する（ステップＳ１）。
【００３６】
次に、利用者Ｍは、利用者情報の入力を行なう（ステップＳ２）。このとき入力する利用者情報としては、たとえば、  
・住所、氏名、年齢、電話番号等  
・クレジットカード番号（クレジット決済利用時）  
などが考えられる。
【００３７】
次に、利用者Ｍは、カメラ１７を起動することにより自身の顔画像を撮像する（ステップＳ３）。顔画像の撮像が終了すると、携帯端末装置１１は、利用者登録依頼に上記入力した利用者情報（以降、入力利用者情報という）と撮像した顔画像を添付して、公衆回線１０を介してホスト装置１４へ送信する（ステップＳ４）。
【００３８】
ホスト装置１４は、携帯端末装置１１からの利用者登録依頼を受信すると（ステップＳ６）、それに添付された入力利用者情報と顔画像を取得し、公衆回線１０を介してクレジット会社のクレジット決済サーバと通信を行なうことにより、当該利用者のクレジット決済利用可能か否かのクレジット照会チェック（クレジット決済利用時）を行なうとともに、二重に登録されていないかの二重登録チェックを行なう（ステップＳ７）。
【００３９】
次に、ホスト装置１４は、携帯端末装置１１から取得した顔画像から顔認識用データ（たとえば、一定レベル以上の本人特定が可能な顔特徴量データ）を生成するとともに、当該利用者固有のＩＤ番号を生成し、これら生成した顔認識用データ、ＩＤ番号および携帯端末装置１１から取得した入力利用者情報を登録利用者情報としてメモリ１４ｂに格納（登録）する（ステップＳ８）。  
次に、ホスト装置１４は、登録終了メッセージに生成したＩＤ番号を添付して、公衆回線１０を介して携帯端末装置１１へ送信する（ステップＳ９）。
【００４０】
携帯端末装置１１は、ホスト装置１４からの登録終了メッセージを受信すると、それに添付されたＩＤ番号をメモリ２８のユーザＩＤエリア２８ａに格納（登録）する（ステップＳ５）。
【００４１】
次に、ＳＦカードの残額チャージおよび定期区間購入について図６に示すフローチャートを参照して説明する。
【００４２】
まず、クレジット利用の場合について説明する。  
クレジット利用の場合、利用者Ｍは、所持する携帯端末装置１１の操作部２１を操作することで、チャージ額および定期区間を選択し（ステップＳ１１）、公衆回線１０を介してクレジット会社のクレジット決済サーバと通信を行なうことにより、クレジット決済を行なう（ステップＳ１２）。
【００４３】
次に、携帯端末装置１１は、クレジット決済が終了すると、チャージ／定期区間購入依頼に、メモリ２８のユーザＩＤエリア２８ａに格納されているＩＤ番号、チャージした金額（チャージ額）および購入した定期区間を添付して、公衆回線１０を介してホスト装置１４へ送信する（ステップＳ１３）。
【００４４】
ホスト装置１４は、携帯端末装置１１からのチャージ／定期区間購入依頼を受信すると（ステップＳ１４）、それに添付されたＩＤ番号と一致するＩＤ番号を有する登録利用者情報をメモリ１４ｂから検索し、検索した登録利用者情報内の残額を、上記チャージ／定期区間購入依頼に添付されたチャージ額分加算するとともに、定期区間を保存する（ステップＳ１５）。
【００４５】
次に、ホスト装置１４は、登録終了メッセージを公衆回線１０を介して携帯端末装置１１へ送信する（ステップＳ１６）。
【００４６】
次に、自動券売機利用の場合について説明する。  
自動券売機利用の場合、利用者Ｍは、自動券売機１２の操作表示部３１を操作することで、チャージ額および定期区間を選択する（ステップＳ１７）。  
次に、自動券売機１２は、携帯端末装置１１と中距離無線通信を行なうことにより、メモリ２８のユーザＩＤエリア２８ａに格納されているＩＤ番号を取得する（ステップＳ１８）。
【００４７】
次に、利用者Ｍは、自動券売機１２へ必要額の現金を投入することにより、自動券売機１２は、チャージ／定期区間購入依頼に、メモリ２８のユーザＩＤエリア２８ａに格納されているＩＤ番号、チャージした金額（チャージ額）および購入した定期区間を添付して、公衆回線１５を介してホスト装置１４へ送信する（ステップＳ１９）。
【００４８】
ホスト装置１４は、自動券売機１２からのチャージ／定期区間購入依頼を受信すると（ステップＳ２０）、それに添付されたＩＤ番号と一致するＩＤ番号を有する登録利用者情報をメモリ１４ｂから検索し、検索した登録利用者情報内の残額を、上記チャージ／定期区間購入依頼に添付されたチャージ額分加算するとともに、定期区間を保存する（ステップＳ２１）。  
次に、ホスト装置１４は、登録終了メッセージを公衆回線１５を介して自動券売機１２へ送信する（ステップＳ２２）。
【００４９】
次に、入出場処理について図７に示すフローチャートを参照して説明する。
【００５０】
自動改札装置１３の制御部１９は、アンテナ部１８から中距離無線通信を展開している（ステップＳ３１）。  
携帯端末装置１１を所持した利用者Ｍが中距離無線通信エリア５５に進入すると（ステップＳ３２）、携帯端末装置１１は、制御部１９との中距離無線通信に参加し（ステップＳ３３）、メモリ２８のユーザＩＤエリア２８ａに格納されているＩＤ番号を制御部１９へ送信する（ステップＳ３４）。
【００５１】
制御部１９は、携帯端末装置１１から送信されるＩＤ番号を受信すると、そのＩＤ番号を公衆回線１６を介してホスト装置１４へ送信する（ステップＳ３６）。  
ホスト装置１４は、制御部１９からのＩＤ番号を受信すると（ステップＳ３７）、そのＩＤ番号をメモリ１４ａに格納する（ステップＳ３８）。
【００５２】
次に、制御部１９は、カメラ１７を起動することにより、改札エリア５３内の構内外境界ライン５４付近の画像を撮像し、この撮像した画像から利用者Ｍの顔画像を抽出し、抽出した顔画像から顔認識用データ（たとえば、一定レベル以上の本人特定が可能な顔特徴量データ）を生成する（ステップＳ３９）。
【００５３】
次に、制御部１９は、生成した顔認識用データから構内外境界ライン５４を越えて移動した利用者Ｍの顔認識用データを取得し、それを公衆回線１６を介してホスト装置１４へ送信する（ステップＳ４０）。このとき、カメラ１７で撮像された構内外境界ライン５４付近の画像もホスト装置１４へ送信する。
【００５４】
ホスト装置１４は、制御部１９からの顔認識用データを受信すると（ステップＳ４１）、メモリ１４ａに格納されたＩＤ番号と一致するＩＤ番号を有する登録利用者情報をメモリ１４ｂから検索し、検索した登録利用者情報内の顔認識用データと制御部１９からの顔認識用データとを照合し（ステップＳ４２）、両顔認識用データが一致するか否かを判定する（ステップＳ４３）。
【００５５】
ステップＳ４３における判定の結果、両顔認識用データが一致しなかった場合、後で詳細を説明する不正利用者検出処理を行なう（ステップＳ４４）。
【００５６】
ステップＳ４３における判定の結果、両顔認識用データが一致した場合、制御部１９からの顔認識用データおよび構内外境界ライン５４付近の画像により、当該利用者Ｍは構内外境界ライン５４を入場側（図１に示す矢印ａ方向）へ移動したか、つまり構内外境界ライン５４を駅構外側から駅構内側へ移動したか、あるいは、構内外境界ライン５４を出場側（図１に示す矢印ｂ方向）へ移動したか、つまり構内外境界ライン５４を駅構内側から駅構外側へ移動したか、を判定する（ステップＳ４５）。
【００５７】
ステップＳ４５における判定の結果、利用者Ｍが構内外境界ライン５４を入場側（図１に示す矢印ａ方向）へ移動した場合、メモリ１４ａに格納されたＩＤ番号と一致するＩＤ番号を有する登録利用者情報をメモリ１４ｂから検索し、検索した登録利用者情報内の乗車券情報に基づき当該利用者Ｍに対する入場処理を行ない、その処理結果を当該登録利用者情報内の乗車券情報に保存するとともに、入場処理が終了したメッセージを携帯端末装置１１へ送信する（ステップＳ４６）。
【００５８】
ステップＳ４５における判定の結果、利用者Ｍが構内外境界ライン５４を出場側（図１に示す矢印ｂ方向）へ移動した場合、メモリ１４ａに格納されたＩＤ番号と一致するＩＤ番号を有する登録利用者情報をメモリ１４ｂから検索し、検索した登録利用者情報内の乗車券情報に基づき当該利用者Ｍに対する出場処理を行ない、その処理結果を当該登録利用者情報内の乗車券情報に保存するとともに、出場処理が終了したメッセージを携帯端末装置１１へ送信する（ステップＳ４７）。
【００５９】
なお、ステップＳ４６，４７における入場、出場処理において、構内外境界ライン５４の近傍を利用者Ｍがうろうろした場合、入場、出場処理が連続して実施されてしまうため、一定時間内の入場／出場は仮状態とし、変化が一定時間ない場合に最後の仮状態を最終処理として採用するものとする。
【００６０】
携帯端末装置１１は、制御部１９からの入場／出場処理終了のメッセージを受信すると、その旨の案内を表示部２２にて行なう（ステップＳ３５）。
【００６１】
次に、ステップＳ４４の不正利用者検出処理について図８に示すフローチャートを参照して説明する。
【００６２】
まず、構内外境界ライン５４を越えて移動した利用者Ｍの顔認識用データがメモリ１４ｂ内の登録利用者情報内に存在するか否かを判定し（ステップＳ５１）、存在しない場合、当該利用者Ｍの顔画像を駅係員に対し報知するとともに、ホスト装置１４内にも記録し、常習者を割り出せるようする（ステップＳ５２）。
【００６３】
ステップＳ５１における判定の結果、構内外境界ライン５４を越えて移動した利用者Ｍの顔認識用データがメモリ１４ｂ内の登録利用者情報内に存在する場合、構内外境界ライン５４を越えたか（入場または出場したか）の問合せを制御部１９に送信する（ステップＳ５３）。
【００６４】
制御部１９は、ホスト装置１４からの問合わせを受信すると（ステップＳ５４）、構内外境界ライン５４を越えたか（入場または出場したか）の問合せを携帯端末装置１１に送信する（ステップＳ５５）。
【００６５】
携帯端末装置１１は、制御部１９からの問合わせを受信すると（ステップＳ５７）、その問合わせが表示部２２に表示されることで、利用者Ｍは操作部２１の操作により当該問合わせに対して意志表示する（ステップＳ５８）。意志表示としては、たとえば、「選択１：自分ではない（駅に行っていない等）」あるいは「選択２：構内外境界ラインを通ったが、電車の利用ではない」が考えられる。
【００６６】
携帯端末装置１１は、利用者Ｍの意志表示結果を制御部１９に返信する（ステップＳ５９）。  
制御部１９は、携帯端末装置１１からの意志表示結果を受信すると、その意志表示結果を公衆回線１６を介してホスト装置１４へ送信する（ステップＳ５６）。
【００６７】
ホスト装置１４は、制御部１９からの意志表示結果を受信すると、その意志表示結果は「選択１」か「選択２」か、を判定し（ステップＳ６０）、「選択１」である場合、メモリ１４ｂに登録されている当該利用者Ｍの登録利用者情報内の顔認識用データを補正し（ステップＳ６１）、「選択２」である場合はそのまま当該処理を終了する。
【００６８】
次に、顔認識不能時の自己申告処理について図９に示すフローチャートを参照して説明する。
【００６９】
自己申告処理とは、たとえば、利用者Ｍがマスクをしているなどで、制御部１９およびホスト装置１４で顔認識ができない場合、利用者Ｍが自ら携帯端末装置１１を操作して、利用者認識を実施する。その理由は、顔認識が正しくできない状態で、かつ、当該自己申告処理もしないで利用を続けると、図７のステップＳ４４における不正利用者検出処理により不正利用者の画像として登録されることになる。自分が入場または出場したにもかかわらず、図７の入出場処理で、入場／出場の処理結果が表示されない場合は、当該自己申告をするように利用者Ｍに案内するものである。
【００７０】
利用者Ｍは、携帯端末装置１１の表示部２２に入場／出場の処理結果が表示されず、自己申告するように案内された場合、操作部２１の操作により自己申告モードを設定することにより、携帯端末装置１１は、自分が中距離無線通信エリア５５にいることを確認し（ステップＳ７１）、制御部１９との中距離無線通信に参加する（ステップＳ７２）。
【００７１】
次に、利用者Ｍは、携帯端末装置１１の操作部２１を操作し、自分は構内外境界ライン５４を入場側あるいは出場側に移動したことを入力することにより（ステップＳ７３）、携帯端末装置１１は、その入力結果（自己申告内容）を制御部１９へ送信する（ステップＳ７４）。
【００７２】
制御部１９は、携帯端末装置１１から送信される入力結果（自己申告内容）を受信すると、その入力結果（自己申告内容）を公衆回線１６を介してホスト装置１４へ送信する（ステップＳ７５）。
【００７３】
ホスト装置１４は、制御部１９からの入力結果（自己申告内容）を受信すると（ステップＳ７６）、当該入力結果は「入場側に移動した」か「出場側に移動した」か、を判定する（ステップＳ７７）。
【００７４】
ステップＳ７７における判定の結果、入力結果が「入場側に移動した」の場合、ホスト装置１４は、メモリ１４ａに格納されたＩＤ番号と一致するＩＤ番号を有する登録利用者情報をメモリ１４ｂから検索し、検索した登録利用者情報内の乗車券情報に基づき当該利用者Ｍに対する入場処理を行ない、その処理結果を当該登録利用者情報内の乗車券情報に保存する（ステップＳ７８）。
【００７５】
ステップＳ７７における判定の結果、入力結果が「出場側に移動した」の場合、ホスト装置１４は、メモリ１４ａに格納されたＩＤ番号と一致するＩＤ番号を有する登録利用者情報をメモリ１４ｂから検索し、検索した登録利用者情報内の乗車券情報に基づき当該利用者Ｍに対する出場処理を行ない、その処理結果を当該登録利用者情報内の乗車券情報に保存する（ステップＳ７９）。
【００７６】
次に、第２の実施形態に係る携帯端末装置１１に登録された顔画像を持つ場合について説明する。
【００７７】
最初に、事前に行なう利用者登録について図１０に示すフローチャートを参照して説明する。
【００７８】
利用者Ｍは、所持する携帯端末装置１１を操作することにより、改札アプリケーションを起動し、メニューにて利用者登録を選択し起動する（ステップＳ８１）。
【００７９】
次に、利用者Ｍは、利用者情報の入力を行なう（ステップＳ８２）。このとき入力する利用者情報としては、たとえば、  
・住所、氏名、電話番号等  
・クレジットカード番号（クレジット決済利用時）  
などが考えられる。
【００８０】
次に、利用者Ｍは、カメラ１７を起動することにより自身の顔画像を撮像する（ステップＳ８３）。顔画像の撮像が終了すると、携帯端末装置１１は、公衆回線１０を介してクレジット会社のクレジット決済サーバと通信を行なうことにより、当該利用者のクレジット決済利用可能か否かのクレジット照会チェック（クレジット決済利用時）を行なう（ステップＳ８４）。
【００８１】
次に、携帯端末装置１１は、撮像した顔画像から顔認識用データ（たとえば、一定レベル以上の本人特定が可能な顔特徴量データ）を生成するとともに、当該利用者固有のＩＤ番号を生成し、これら生成した顔認識用データ、ＩＤ番号および入力された利用者情報（以降、入力利用者情報という）を登録利用者情報としてメモリ２８の利用者情報エリア２８ｃに格納（登録）する（ステップＳ８５）。
【００８２】
次に、ＳＦカードの残額チャージおよび定期区間購入について図１２に示すフローチャートを参照して説明する。
【００８３】
まず、クレジット利用の場合について説明する。  
クレジット利用の場合、利用者Ｍは、所持する携帯端末装置１１の操作部２１を操作することで、チャージ額および定期区間を選択し（ステップＳ９１）、公衆回線１０を介してクレジット会社のクレジット決済サーバと通信を行なうことにより、クレジット決済を行なう（ステップＳ９２）。
【００８４】
次に、携帯端末装置１１は、クレジット決済が終了すると、メモリ２８の利用者情報エリア２８ｃに格納されている登録利用者情報内の残額を、チャージした金額（チャージ額）分加算するとともに、購入した定期区間を保存する（ステップＳ９３）。
【００８５】
次に、自動券売機利用の場合について説明する。  
自動券売機利用の場合、利用者Ｍは、自動券売機１２の操作表示部３１を操作することで、チャージ額および定期区間を選択する（ステップＳ９４）。  
次に、自動券売機１２は、携帯端末装置１１と中距離無線通信を行なうことにより、メモリ２８の利用者情報エリア２８ｃに格納されているＩＤ番号を取得する（ステップＳ９５）。
【００８６】
次に、利用者Ｍは、自動券売機１２へ必要額の現金を投入することにより、自動券売機１２は、チャージ／定期区間購入依頼に、チャージした金額（チャージ額）および購入した定期区間を添付して、中距離無線通信により携帯端末装置１１へ送信する（ステップＳ９６）。
【００８７】
携帯端末装置１１は、自動券売機１２からのチャージ／定期区間購入依頼を受信すると（ステップＳ９７）、メモリ２８の利用者情報エリア２８ｃに格納された登録利用者情報内の残額を、上記チャージ／定期区間購入依頼に添付されたチャージ額分加算するとともに、定期区間を保存する（ステップＳ９８）。  
次に、携帯端末装置１１は、登録終了メッセージを自動券売機１２へ送信する（ステップＳ２１）。
【００８８】
次に、入出場処理について図１２に示すフローチャートを参照して説明する。
【００８９】
自動改札装置１３の制御部１９は、アンテナ部１８から中距離無線通信を展開している（ステップＳ１０１）。  
携帯端末装置１１を所持した利用者Ｍが中距離無線通信エリア５５に進入すると（ステップＳ１０２）、携帯端末装置１１は、制御部１９との中距離無線通信に参加し（ステップＳ１０３）、メモリ２８の利用者情報エリア２８ｃに格納された登録利用者情報を制御部１９へ送信する（ステップＳ１０４）。
【００９０】
制御部１９は、携帯端末装置１１から送信される登録利用者情報を受信すると、受信した登録利用者情報をメモリ４５ａに格納する（ステップＳ１０６）。  
次に、制御部１９は、カメラ１７を起動することにより、改札エリア５３内の構内外境界ライン５４付近の画像を撮像し、この撮像した画像から利用者Ｍの顔画像を抽出し、抽出した顔画像から顔認識用データ（たとえば、一定レベル以上の本人特定が可能な顔特徴量データ）を生成する（ステップＳ１０７）。
【００９１】
次に、制御部１９は、生成した顔認識用データを用いて構内外境界ライン５４を越えて移動した利用者Ｍ（顔画像）が存在するか否かを判定し（ステップＳ１０８）、構内外境界ライン５４を越えて移動した利用者Ｍが存在しない場合はステップＳ１０６に戻り、上記同様な動作を繰り返す。
【００９２】
ステップＳ１０８における判定の結果、構内外境界ライン５４を越えて移動した利用者Ｍが存在する場合、制御部１９は、構内外境界ライン５４を越えて移動した利用者Ｍは現在中距離無線通信に参加している利用者か否かを判定する（ステップＳ１０９）。
【００９３】
すなわち、上記生成した顔認識用データとメモリ４５ａに格納された携帯端末装置１１からの登録利用者情報内の顔認識用データとを照合することにより、両顔認識用データが一致するか否かを判定する。両顔認識用データが一致すれば現在中距離無線通信に参加している利用者（本人）であると判定し、両顔認識用データが一致しなければ現在中距離無線通信に参加している利用者でない（本人でない）と判定する。
【００９４】
ステップＳ１０９における判定の結果、現在中距離無線通信に参加している利用者でない場合、制御部１９は、当該利用者Ｍの顔画像を駅係員に対し報知するとともに、制御部１９内にも記録し、常習者を割り出せるようする（ステップＳ１１０）。
【００９５】
ステップＳ１０９における判定の結果、現在中距離無線通信に参加している利用者である場合、制御部１９は、撮像した構内外境界ライン５４付近の画像および生成した顔認識用データにより、当該利用者Ｍは構内外境界ライン５４を入場側（図１に示す矢印ａ方向）へ移動したか、つまり構内外境界ライン５４を駅構外側から駅構内側へ移動したか、あるいは、構内外境界ライン５４を出場側（図１に示す矢印ｂ方向）へ移動したか、つまり構内外境界ライン５４を駅構内側から駅構外側へ移動したか、を判定する（ステップＳ１１１）。
【００９６】
ステップＳ１１１における判定の結果、利用者Ｍが構内外境界ライン５４を入場側（図１に示す矢印ａ方向）へ移動した場合、制御部１９は、メモリ４５ａに格納された登録利用者情報内の乗車券情報に基づき当該利用者Ｍに対する入場処理を行ない、その処理結果を当該登録利用者情報内の乗車券情報に保存するとともに、入場処理が終了したメッセージを携帯端末装置１１へ送信する（ステップＳ１１２）。
【００９７】
ステップＳ１１１における判定の結果、利用者Ｍが構内外境界ライン５４を出場側（図１に示す矢印ｂ方向）へ移動した場合、制御部１９は、メモリ４５ａに格納された登録利用者情報内の乗車券情報に基づき当該利用者Ｍに対する出場処理を行ない、その処理結果を当該登録利用者情報内の乗車券情報に保存するとともに、出場処理が終了したメッセージを携帯端末装置１１へ送信する（ステップＳ１１３）。
【００９８】
なお、ステップＳ１１２，１１３における入場、出場処理において、構内外境界ライン５４の近傍を利用者Ｍがうろうろした場合、入場、出場処理が連続して実施されてしまうため、一定時間内の入場／出場は仮状態とし、変化が一定時間ない場合に最後の仮状態を最終処理として採用するものとする。
【００９９】
携帯端末装置１１は、制御部１９からの入場／出場処理終了のメッセージを受信すると、その旨の案内を表示部２２にて行なう（ステップＳ１０５）。
【０１００】
次に、顔認識不能時の自己申告処理について図１３に示すフローチャートを参照して説明する。
【０１０１】
自己申告処理とは、たとえば、利用者Ｍがマスクをしているなどで、制御部１９で顔認識ができない場合に、利用者Ｍが自ら携帯端末装置１１を操作して、入出場処理を実施する。その理由は、自分が入場または出場したにもかかわらず、図１２の入出場処理で、入場／出場の処理結果が表示されない場合は、当該自己申告をするように利用者Ｍに案内するものである。
【０１０２】
利用者Ｍは、携帯端末装置１１の表示部２２に入場／出場の処理結果が表示されず、自己申告するように案内された場合、操作部２１の操作により自己申告モードを設定することにより、携帯端末装置１１は、自分が中距離無線通信エリア５５にいることを確認し（ステップＳ１２１）、制御部１９との中距離無線通信に参加する（ステップＳ１２２）。
【０１０３】
次に、利用者Ｍは、携帯端末装置１１の操作部２１を操作し、自分は構内外境界ライン５４を入場側あるいは出場側に移動したことを入力することにより（ステップＳ１２３）、携帯端末装置１１は、その入力結果（自己申告内容）を制御部１９へ送信する（ステップＳ１２４）。
【０１０４】
制御部１９は、携帯端末装置１１から送信される入力結果（自己申告内容）を受信すると（ステップＳ１２５）、当該入力結果は「入場側に移動した」か「出場側に移動した」か、を判定する（ステップＳ１２６）。
【０１０５】
ステップＳ１２６における判定の結果、入力結果が「入場側に移動した」の場合、制御部１９は、メモリ４５ａに格納された登録利用者情報内の乗車券情報に基づき当該利用者Ｍに対する入場処理を行ない、その処理結果を当該登録利用者情報内の乗車券情報に保存する（ステップＳ１２７）。
【０１０６】
ステップＳ１２６における判定の結果、入力結果が「出場側に移動した」の場合、制御部１９は、メモリ４５ａに格納された登録利用者情報内の乗車券情報に基づき当該利用者Ｍに対する出場処理を行ない、その処理結果を当該登録利用者情報内の乗車券情報に保存する（ステップＳ１２８）。
【０１０７】
以上述べた少なくとも１つの実施形態の改札システムによれば、スマートフォンなどの携帯端末装置を乗車券媒体として利用し、自動改札装置利用時に撮像された顔画像とあらかじめ登録された本人の顔画像との一致と、改札エリアに設定された利用者入出場の意思確認用の境界ラインの位置関係から、利用者入出場の意思確認を行なうことにより、利用者が手を使うことなく手ぶらで自動改札装置を利用でき、利便性が著しく向上する。特に、たとえば、手が不自由であったり、視力が弱いなどの交通弱者が、自動改札装置の利用がし易くなるという作用効果が期待できる。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
以下に本件出願当初の特許請求の範囲に記載された発明を付記する。
［Ｃ１］
利用者固有の識別情報と当該利用者の顔画像とを対応させて記憶している記憶手段と、
利用者が所持し、無線通信機能を有する携帯端末装置が改札エリアに進入した際、当該携帯端末装置にあらかじめ記憶された当該利用者固有の識別情報を無線通信により取得する第１の手段と、
前記改札エリア付近の画像を撮像する第２の手段と、
この第２の手段により撮像された画像により、前記改札エリアにあらかじめ設定された利用者入出場の意思確認用の境界ラインを越えてきた利用者の顔画像を取得する第３の手段と、
前記第１の手段により取得された識別情報と対応する識別情報を持つ顔画像を前記記憶手段から取得する第４の手段と、
前記第３の手段により取得された顔画像が前記第４の手段により取得された顔画像と一致するか否かを判定する第５の手段と、
この第５の手段により両顔画像が一致すると判定された場合、当該利用者は前記境界ラインを入場側あるいは出場側のいずれの方向へ移動したかを判定する第６の手段と、
この第６の手段により利用者が境界ラインを入場側へ移動したと判定された場合、当該利用者に対する入場処理を行なう第７の手段と、
前記第６の手段により利用者が境界ラインを出場側へ移動したと判定された場合、当該利用者に対する出場処理を行なう第８の手段と、
を具備する改札システム。
［Ｃ２］
前記第５の手段により両顔画像が不一致と判定された場合、当該利用者は不正利用者の可能性があるとして係員に報知する第９の手段をさらに具備するＣ１記載の改札システム。
［Ｃ３］
利用者が所持し、無線通信機能を有する携帯端末装置と、この携帯端末装置と無線通信を行なうことにより改札処理を行なう自動改札装置と、この自動改札装置と通信可能に接続されたホスト装置とから構成される改札システムであって、
前記ホスト装置は、
利用者固有の識別情報と当該利用者の顔画像および乗車券情報とを対応させて記憶している第１の記憶手段を具備し、
前記携帯端末装置は、
あらかじめ少なくとも利用者固有の識別情報を記憶する第２の記憶手段と、
前記自動改札装置の改札エリアに進入した際、前記第２の記憶手段に記憶された識別情報を無線通信により前記自動改札装置へ送信する第１の送信手段とを具備し、
前記自動改札装置は、
前記改札エリア付近の画像を撮像する撮像手段と、
この撮像手段により撮像された画像により、前記改札エリアにあらかじめ設定された利用者入出場の意思確認用の境界ラインを越えてきた利用者の顔画像を取得する第１の取得手段と、
前記携帯端末装置から送信された識別情報を受信し、この受信した識別情報と前記第１の取得手段により取得された顔画像を前記ホスト装置へ送信する第２の送信手段とを具備し、
前記ホスト装置は、さらに、
前記自動改札装置から送信された識別情報と顔画像を受信し、この受信した識別情報と対応する識別情報を持つ顔画像を前記第１の記憶手段から取得する第２の取得手段と、
前記第２の取得手段により取得された顔画像と前記受信した顔画像とが一致するか否かを判定する第１の判定手段と、
この第１の判定手段により両顔画像が一致すると判定された場合、当該利用者は前記境界ラインを入場側あるいは出場側のいずれの方向へ移動したかを判定する第２の判定手段と、
この第２の判定手段により利用者が境界ラインを入場側へ移動したと判定された場合、前記受信した識別情報と対応する識別情報を持つ乗車券情報を前記第１の記憶手段から取得し、この取得した乗車券情報に基づき当該利用者に対する入場処理を行なう入場処理手段と、
前記第２の判定手段により利用者が境界ラインを出場側へ移動したと判定された場合、前記受信した識別情報と対応する識別情報を持つ乗車券情報を前記第１の記憶手段から取得し、この取得した乗車券情報に基づき当該利用者に対する出場処理を行なう出場処理手段とを具備する改札システム。
［Ｃ４］
前記自動改札装置は、
前記第１の判定手段により両顔画像が不一致と判定された場合、当該利用者は不正利用者の可能性があるとして係員に報知する報知手段をさらに具備するＣ３記載の改札システム。
［Ｃ５］
Ｃ３記載の改札システムに使用される自動改札装置であって、
前記携帯端末装置から送信された識別情報を無線通信により受信する受信手段と、
前記改札エリア付近の画像を撮像する撮像手段と、
この撮像手段により撮像された画像により、前記改札エリアにあらかじめ設定された利用者入出場の意思確認用の境界ラインを越えてきた利用者の顔画像を取得する取得手段と、
前記受信手段により受信された識別情報と前記第１の取得手段により取得された顔画像を前記ホスト装置へ送信する送信手段と、
を具備する自動改札装置。
［Ｃ６］
Ｃ３記載の改札システムに使用される携帯端末装置であって、
前記自動改札装置と無線通信を行なう無線通信手段と、
あらかじめ少なくとも利用者固有の識別情報を記憶する記憶手段と、
前記自動改札装置の改札エリアに進入した際、前記記憶手段に記憶された識別情報を前記無線通信手段により前記自動改札装置へ送信する送信手段と、
を具備する携帯端末装置。
［Ｃ７］
利用者が所持し、無線通信機能を有する携帯端末装置が改札エリアに進入した際、当該携帯端末装置にあらかじめ記憶された当該利用者の顔画像を無線通信により取得する第１の手段と、
前記改札エリア付近の画像を撮像する第２の手段と、
この第２の手段により撮像された画像により、前記改札エリアにあらかじめ設定された利用者入出場の意思確認用の境界ラインを越えてきた利用者の顔画像を取得する第３の手段と、
前記第１の手段により取得された顔画像が前記第３の手段により取得された顔画像と一致するか否かを判定する第４の手段と、
この第４の手段により両顔画像が一致すると判定された場合、当該利用者は前記境界ラインを入場側あるいは出場側のいずれの方向へ移動したかを判定する第５の手段と、
この第５の手段により利用者が境界ラインを入場側へ移動したと判定された場合、当該利用者に対する入場処理を行なう第６の手段と、
前記第５の手段により利用者が境界ラインを出場側へ移動したと判定された場合、当該利用者に対する出場処理を行なう第７の手段と、
を具備する改札システム。
［Ｃ８］
前記第４の手段により両顔画像が不一致と判定された場合、当該利用者は不正利用者の可能性があるとして係員に報知する第８の手段をさらに具備するＣ７記載の改札システム。
［Ｃ９］
利用者が所持し、無線通信機能を有する携帯端末装置と、この携帯端末装置と無線通信を行なうことにより改札処理を行なう自動改札装置とから構成される改札システムであって、
前記携帯端末装置は、
あらかじめ少なくとも当該利用者の顔画像および乗車券情報を記憶する記憶手段と、
前記自動改札装置の改札エリアに進入した際、前記記憶手段に記憶された顔画像および乗車券情報を無線通信により前記自動改札装置へ送信する送信手段とを具備し、
前記自動改札装置は、
前記改札エリア付近の画像を撮像する撮像手段と、
この撮像手段により撮像された画像により、前記改札エリアにあらかじめ設定された利用者入出場の意思確認用の境界ラインを越えてきた利用者の顔画像を取得する取得手段と、
前記携帯端末装置から送信された顔画像および乗車券情報を受信し、この受信した顔画像と前記取得手段により取得された顔画像とが一致するか否かを判定する第１の判定手段と、
この第１の判定手段により両顔画像が一致すると判定された場合、当該利用者は前記境界ラインを入場側あるいは出場側のいずれの方向へ移動したかを判定する第２の判定手段と、
この第２の判定手段により利用者が境界ラインを入場側へ移動したと判定された場合、前記受信した乗車券情報に基づき当該利用者に対する入場処理を行なう入場処理手段と、
前記第２の判定手段により利用者が境界ラインを出場側へ移動したと判定された場合、前記受信した乗車券情報に基づき当該利用者に対する出場処理を行なう出場処理手段とを具備する改札システム。
［Ｃ１０］
前記自動改札装置は、
前記第１の判定手段により両顔画像が不一致と判定された場合、当該利用者は不正利用者の可能性があるとして係員に報知する報知手段をさらに具備するＣ９記載の改札システム。
［Ｃ１１］
Ｃ９記載の改札システムに使用される自動改札装置であって、
前記携帯端末装置から送信された顔画像および乗車券情報を無線通信により受信する受信手段と、
前記改札エリア付近の画像を撮像する撮像手段と、
この撮像手段により撮像された画像により、前記改札エリアにあらかじめ設定された利用者入出場の意思確認用の境界ラインを越えてきた利用者の顔画像を取得する取得手段と、
前記受信手段により受信された顔画像と前記取得手段により取得された顔画像とが一致するか否かを判定する第１の判定手段と、
この第１の判定手段により両顔画像が一致すると判定された場合、当該利用者は前記境界ラインを入場側あるいは出場側のいずれの方向へ移動したかを判定する第２の判定手段と、
この第２の判定手段により利用者が境界ラインを入場側へ移動したと判定された場合、前記受信手段により受信された乗車券情報に基づき当該利用者に対する入場処理を行なう入場処理手段と、
前記第２の判定手段により利用者が境界ラインを出場側へ移動したと判定された場合、前記受信手段により受信された乗車券情報に基づき当該利用者に対する出場処理を行なう出場処理手段と、
を具備する自動改札装置。
［Ｃ１２］
Ｃ９記載の改札システムに使用される携帯端末装置であって、
前記自動改札装置と無線通信を行なう無線通信手段と、
あらかじめ少なくとも当該利用者の顔画像および乗車券情報を記憶する記憶手段と、
前記自動改札装置の改札エリアに進入した際、前記記憶手段に記憶された顔画像および乗車券情報を前記無線通信手段により前記自動改札装置へ送信する送信手段と、
を具備する携帯端末装置。
【符号の説明】
【０１０９】
１１…携帯端末装置（スマートフォン、携帯電話機等）、１２…自動券売機、１３…自動改札装置、１４…ホスト装置（センタサーバ）、１７…カメラ（撮像手段）、１８…アンテナ部、１９…制御部、５３…改札エリア、５４…構内外境界ライン、５５…中距離無線通信エリア。
【図１】
0005940331.tif 000002
【図２】
0005940331.tif 000003
【図３】
0005940331.tif 000004
【図４】
0005940331.tif 000005
【図５】
0005940331.tif 000006
【図６】
0005940331.tif 000007
【図７】
0005940331.tif 000008
【図８】
0005940331.tif 000009
【図９】
0005940331.tif 000010
【図１０】
0005940331.tif 000011
【図１１】
0005940331.tif 000012
【図１２】
0005940331.tif 000013
【図１３】
0005940331.tif 000014